(57)【要約】      （修正有）【課題】複数の撮影地点をＧＰＳ衛星からの受信情報に基づいて一つの地図画像上で確認できる電子機器を提供する。【解決手段】電子機器１０は、画像を表示する表示手段１１１と、撮影画像の複数の撮影地点を示す表示を含む地図画像を表示するように表示手段１１１を制御する表示制御手段１１０、１０８とを備える。【選択図】図１
2008092441.tif 000002
【特許請求の範囲】
【請求項１】
画像を表示する表示手段と、
撮影画像の複数の撮影地点を示す表示を含む地図画像を表示するように前記表示手段を制御する表示制御手段とを備えることを特徴とする電子機器。
【請求項２】
請求項１に記載の電子機器において、
前記表示制御手段は、前記表示手段に表示している地図画像に代えて、前記表示手段が表示していた撮影地点で撮影された撮影画像を表示するように前記表示手段を制御することを特徴とする電子機器。
【請求項３】
請求項２に記載の電子機器において、
前記表示制御手段は、前記表示手段に表示している撮影画像に代えて、前記表示手段が表示していた撮影画像の撮影地点を含む地図画像を表示するように前記表示手段を制御することを特徴とする電子機器。
【請求項４】
請求項１に記載の電子機器において、
前記表示制御手段は、前記地図画像内の撮影地点で撮影された撮影画像の数を示す表示をさらに含めるように前記表示手段を制御することを特徴とする電子機器。
【請求項５】
請求項１〜４のいずれか一項に記載の電子機器において、
前記表示制御手段は、前記撮影画像に関連づけられたマークで前記撮影地点を示すことを特徴とする電子機器。
【請求項６】
請求項５に記載の電子機器において、
前記表示制御手段は、前記マークの大きさで当該撮影地点における撮影画像の数を示すことを特徴とする電子機器。
【請求項７】
請求項５または６に記載の電子機器において、
前記表示制御手段は、前記地図画像上にポインタ情報をさらに表示するとともに、操作部材からのポインタ操作信号に応じて当該ポインタ情報の表示位置を移動させ、前記ポインタ情報が前記マークのいずれかに重ねられた場合、当該マークが示す撮影地点で撮影された撮影画像を前記地図画像上の一部に重ねて表示するように前記表示手段を制御することを特徴とする電子機器。
【請求項８】
請求項７に記載の電子機器において、
前記表示制御手段は、前記マークが示す撮影地点で撮影された撮影画像を前記ポインタ情報に重ならない位置に表示するように前記表示手段を制御することを特徴とする電子機器。
【請求項９】
請求項７または８に記載の電子機器において、
前記表示制御手段は、前記操作部材からの表示操作信号に応じて、前記撮影画像の表示サイズを大きくするように表示手段を制御することを特徴とする電子機器。
【請求項１０】
請求項６に記載の電子機器において、
前記表示制御手段は、前記地図画像の縮尺率を下げて表示する場合、大きく表示されているマークを小さな複数のマークに分離させることを特徴とする電子機器。
【発明の詳細な説明】
【技術分野】
【０００１】
本発明は、電子機器に関する。
【背景技術】
【０００２】
ＧＰＳ衛星からの信号を受信して撮影位置を測定するカメラが知られている（特許文献１参照）。従来技術によれば、地図画像上に撮影地点と被写体位置とが表示される。
【０００３】
【特許文献１】特開２００６−２０１６６号公報
【発明の開示】
【発明が解決しようとする課題】
【０００４】
従来技術によれば、一撮影ごとの地図画像が表示されるので、複数画像を撮影した場合に一つ一つの撮影地点を地図上で確認することがわずらわしいという問題があった。
【課題を解決するための手段】
【０００５】
（１）本発明による電子機器は、画像を表示する表示手段と、撮影画像の複数の撮影地点を示す表示を含む地図画像を表示するように表示手段を制御する表示制御手段とを備えることを特徴とする。
（２）請求項１に記載の電子機器において、表示制御手段は、表示手段に表示している地図画像に代えて、表示手段が表示していた撮影地点で撮影された撮影画像を表示するように表示手段を制御することもできる。
（３）請求項２に記載の電子機器において、表示制御手段は、表示手段に表示している撮影画像に代えて、表示手段が表示していた撮影画像の撮影地点を含む地図画像を表示するように表示手段を制御することもできる。
（４）請求項１に記載の電子機器において、表示制御手段は、地図画像内の撮影地点で撮影された撮影画像の数を示す表示をさらに含めるように表示手段を制御することもできる。
（５）請求項１〜４のいずれか一項に記載の電子機器において、表示制御手段は、撮影画像に関連づけられたマークで撮影地点を示すこともできる。
（６）請求項５に記載の電子機器において、表示制御手段は、マークの大きさで当該撮影地点における撮影画像の数を示すこともできる。
（７）請求項５または６に記載の電子機器において、表示制御手段は、地図画像上にポインタ情報をさらに表示するとともに、操作部材からのポインタ操作信号に応じて当該ポインタ情報の表示位置を移動させ、ポインタ情報がマークのいずれかに重ねられた場合、当該マークが示す撮影地点で撮影された撮影画像を地図画像上の一部に重ねて表示するように表示手段を制御することもできる。
（８）請求項７に記載の電子機器において、表示制御手段は、マークが示す撮影地点で撮影された撮影画像をポインタ情報に重ならない位置に表示するように表示手段を制御することもできる。
（９）請求項７または８に記載の電子機器において、表示制御手段は、操作部材からの表示操作信号に応じて、撮影画像の表示サイズを大きくするように表示手段を制御することもできる。
（１０）請求項６に記載の電子機器において、表示制御手段は、地図画像の縮尺率を下げて表示する場合、大きく表示されているマークを小さな複数のマークに分離させることもできる。
【発明の効果】
【０００６】
本発明による電子機器によれば、複数の撮影地点を一つの地図画像上で確認することができる。
【発明を実施するための最良の形態】
【０００７】
以下、図面を参照して本発明を実施するための最良の形態について説明する。図１は、本発明の一実施形態による電子カメラ１０の要部構成を説明するブロック図である。図１において、タイミングジェネレータ(TG)１０５は、メインＣＰＵ１０８から送出される指示に応じて、タイミング信号をドライバ１０４、ＡＦＥ(Analog Front End)回路１０２、Ａ／Ｄ変換回路１０３および画像処理回路１０６へ供給する。ドライバ１０４は、撮像素子１０１で必要とされる駆動信号を供給する。
【０００８】
撮影レンズＬは、撮像素子１０１の撮像面に被写体像を結像させる。撮像素子１０１は、画素に対応する複数の光電変換素子を備えたＣＣＤイメージセンサなどによって構成され、撮像面上に結像されている被写体像を撮像し、被写体像の明るさに応じた光電変換信号を出力する。撮像素子１０１の撮像面には、それぞれＲ（赤）、Ｇ（緑）およびＢ（青）のカラーフィルタが画素位置に対応するように設けられている。撮像素子１０１がカラーフィルタを通して被写体像を撮像するため、撮像素子１０１から出力される光電変換信号は、ＲＧＢ表色系の色情報を有する。
【０００９】
ＡＦＥ回路１０２は、撮像素子１０１から出力される光電変換信号に対するアナログ処理（ゲインコントロールなど）を行う。Ａ／Ｄ変換回路１０３は、アナログ処理後の撮像信号をディジタル信号に変換する。
【００１０】
メインＣＰＵ１０８は、各ブロックから出力される信号を入力して所定の演算を行い、演算結果に基づく制御信号を各ブロックへ出力する。画像処理回路１０６は、たとえばＡＳＩＣとして構成され、Ａ／Ｄ変換回路１０３から入力されるディジタル画像信号に対する画像処理を行う。画像処理には、たとえば、輪郭強調や色温度調整（ホワイトバランス調整）処理、画像信号に対するフォーマット変換処理が含まれる。
【００１１】
画像圧縮回路１０７は、画像処理回路１０６による処理後の画像信号に対して、JPEG方式で所定の圧縮比率の画像圧縮処理を行う。表示画像作成回路１１０は、撮像画像を液晶モニタ１１１に表示させるための表示データを作成する。液晶モニタ１１１は、表示画像作成回路１１０から入力される表示データによる再生画像を表示する。表示画像作成回路１１０は画像表示用データの他、メッセージやメニュー、マークなどを表示するためのデータの作成も行う。これにより、液晶モニタ１１１に画像以外の情報も表示される。
【００１２】
記録媒体１０Ａは、電子カメラ１０に対して着脱可能なメモリカードなどで構成される。記録媒体１０Ａには、メインＣＰＵ１０８からの指示によって撮影画像のデータ、およびその撮影情報を含む画像ファイルが記録される。記録媒体１０Ａにはさらに、メインＣＰＵ１０８からの指示によって地図データが記録される。記録媒体１０Ａに記録された画像ファイル、地図データは、それぞれメインＣＰＵ１０８からの指示によって読み出しが可能である。
【００１３】
バッファメモリ１０９は、画像処理前後および画像処理途中のデータを一時的に格納する他、記録媒体１０Ａへ記録する前の画像ファイルを格納したり、記録媒体１０Ａから読み出した画像ファイルを格納したり、地図データによる地図画像を生成したりするワークメモリとして使用される。
【００１４】
操作部材１１３は、電子カメラ１０のレリーズボタン、メニュースイッチ、ダイヤル、決定スイッチなどを含み、各スイッチ類の押下もしくは回転操作に対応する操作信号をメインＣＰＵ１０８へ出力する。レンズ駆動装置１１７は、メインＣＰＵ１８から送出される指示に応じて撮影レンズＬを構成するフォーカスレンズを光軸方向に進退駆動させることにより、撮影レンズＬによるフォーカス調節を行う。
【００１５】
無線インターフェイス１１６は、メインＣＰＵ１０８からの指示により外部機器との間で無線ＬＡＮ通信、赤外線通信、および光通信などのいずれかの通信方式によってデータを送受信する。外部インターフェイス１１２は、メインＣＰＵ１０８からの指示により外部機器（パーソナルコンピュータやクレードル等）との間で不図示のケーブルを介してデータを送受信する。
【００１６】
GPS装置１１４は、メインＣＰＵ１０８からの指示に応じてGPS衛星からの電波を受信し、受信信号をメインＣＰＵ１０８へ出力する。メインＣＰＵ１０８は、GPS装置１１４からの受信信号に基づいて所定の演算を行い、電子カメラ１０の測位情報（緯度、経度、高度）を検出する。
【００１７】
姿勢センサ１１５は、メインＣＰＵ１０８からの指示に応じて電子カメラ１０の姿勢を検出し、検出信号をメインＣＰＵ１０８へ出力する。メインＣＰＵ１０８は、姿勢検出信号に基づいて電子カメラ１０が構えられている向き、すなわち、縦位置か横位置かを判定する。
【００１８】
上記電子カメラ１０は、撮影時に撮像素子１０１で取得された画像信号に所定の画像処理および圧縮処理を施し、圧縮処理後の画像データに、測位情報、後述するマークの種類を示す情報、および当該撮影画像に関する情報などを含む付加情報を付加した画像ファイルを生成するように構成されている。具体的には、JPEG形式の画像データを画像データ部に格納し、付加情報を付加情報部に格納したＥｘｉｆ形式の画像ファイルを生成する。生成した画像ファイルは、記録媒体１０Ａ内に保存される。
【００１９】
本発明は、電子カメラ１０が保存された画像ファイルを用いて液晶モニタ１１１に撮影画像を表示する再生動作に特徴を有するので、以降の説明は液晶モニタ１１１表示を中心に説明する。
【００２０】
図２は、電子カメラ１０を液晶モニタ１１１（背面）側から見た図である。図２において、電子カメラ１０の背面に液晶モニタ１１１が配設され、液晶モニタ１１１の横にズームスイッチ１１３ｂ、メニュースイッチ１１３ｃ、その他操作スイッチ１１３ｄ、１１３ｅ、１１３ｇおよびダイヤル１１３ｆが設けられている。リング状に構成されたダイヤル１１３ｆは、回転操作に応じた回転操作信号と、押下操作に応じた押下位置信号とを発生する。決定スイッチ１１３ｇの配設位置はダイヤル１１３ｆの中央部である。また、電子カメラ１０の上面にはレリーズボタン１１３ａが配設される。
【００２１】
液晶モニタ１１１には地図画像が表示されている。電子カメラ１０は、たとえば、次の５項目のうち、メニュー設定によって指示されている項目に対応するエリアの地図を液晶モニタ１１１に表示する。
１．電子カメラ１０の現在地（GPS装置１１４からの受信信号に基づいて演算した位置）を含む地図
２．最後に（前回）液晶モニタ１１１に表示したエリアの地図
３．最後の（前回）撮影時に測位した（GPS装置１１４からの受信信号に基づいて演算した）位置を含む地図
４．あらかじめ定められているエリアの地図
５．操作部材１１３からの操作信号によって指示されるエリアの地図
【００２２】
地図画像表示に必要な地図情報は、無線インターフェイス１１６または外部インターフェイス１１２を介して外部機器から受信可能に構成されている。受信した地図のデータは、記録媒体１０Ａに記録することも可能である。
【００２３】
図２に例示した液晶モニタ１１１の表示画像には、地図画像に重ねてマーク２１〜マーク２６、ポインタ３１、およびコマ数表示３２がそれぞれ表示されている。マーク２１〜マーク２６は、各マークに対応する位置で撮影された画像が電子カメラ１０内に存在することを示す。具体的には、マーク２１〜マーク２６の表示位置に対応する測位情報を関連づけて保存された画像ファイルが記録媒体１０Ａ内に記録されている場合に、電子カメラ１０が測位情報で示される位置（撮影位置）にマークを表示する。
【００２４】
マークは、通常の丸印マークの他にレストランマーク２１やハートマーク２２など、形状や色が異なる複数種類の中から撮影位置ごとに選択されたマークが表示される。電子カメラ１０は、撮影画像に関連づけて記録媒体１０Ａ内に記録されているマークの種類を示す情報を読み出し、この読み出し情報が示す種類のマークを液晶モニタ１１１上の地図画像に重ねて表示させる。
【００２５】
マークの大きさは、当該マークに対応する位置で撮影された画像数に応じて変化するように表示制御される。電子カメラ１０は、たとえば、近接するマークが重なってしまう場合や、同位置で撮影された画像数が多い場合にはマークを大きく表示させる。
【００２６】
液晶モニタ１１１に表示する地図画像の表示範囲（すなわち、地図の縮尺率）は、ズームスイッチ１１３ｂからの操作信号に応じて変化する。電子カメラ１０は、ズームスイッチ１１３ｂがテレ側（Ｔ）に操作されると縮尺率を下げ（拡大表示）、ワイド側（Ｗ）に操作されると縮尺率を高める（縮小表示）ように表示制御する。
【００２７】
電子カメラ１０は、地図画像の縮尺率を下げたことによって近接するマークの重なりを解消できる場合に、拡大表示前に大きく表示していたマークを小さな複数のマークに分けて表示させる。
【００２８】
ポインタ３１は、液晶モニタ１１１の表示画面内を移動自在に表示制御される。電子カメラ１０は、ダイヤル１１３ｆからの押下位置信号に応じて、ポインタ３１を押下位置方向へなめらかに移動させる。たとえば、ダイヤル１１３ｆの右側が押下される場合、ポインタ３１を現表示位置より右方向へ移動させる。ダイヤル１１３ｆの右側が押下され続ける場合はポインタ３１をさらに右側へ移動させ、ポインタ３１が表示画面の右側へ到達した状態でダイヤル１１３ｆの右側がさらに押下される場合、表示する地図画像を左方向へスクロールさせる。これにより、地図画像の表示されていなかった右側部分が新たに液晶モニタ１１１に表示される。
【００２９】
電子カメラ１０は、ダイヤル１１３ｆの上側、左側、下側が押下される場合もそれぞれ同様に表示制御を行う。なお、ダイヤル１１３ｆの斜め上側、斜め下側が押下される場合には、それぞれの方向に地図画像がスクロールするように表示制御を行う。
【００３０】
電子カメラ１０はさらに、ダイヤル１１３ｆが回転操作された場合にもポインタ３１を移動させる。この場合のポインタ３１の移動は、液晶モニタ１１１に表示されているマーク間をジャンプするように直接移動する。電子カメラ１０は、たとえば、ダイヤル１１３ｆが右回りに回転操作される場合、ポインタ３１を現表示位置から最寄りのマーク上へ移動させる。ダイヤル１１３ｆがさらに右回りに回転操作される場合、ポインタ３１を現表示位置から右寄りのマーク上へ直接移動させる。反対に、ダイヤル１１３ｆが左回りに回転操作される場合、ポインタ３１を現表示位置から左寄りのマーク上へ直接移動させる。
【００３１】
電子カメラ１０は、ポインタ３１がマーク上に重ねられた状態で所定時間（たとえば０．５秒）が経過する場合、当該マークに対応する位置で撮影されたサムネイル画像を記録媒体１０Ａから読み出して液晶モニタ１１１に表示する。図３は、この場合の液晶モニタ１１１上の表示画像を例示する図である。図３において、マーク２３上にポインタ３１が重ねられ、マーク２３およびポインタ３１を隠さない位置にサムネイル画像および撮影日時が地図画像上に重ね表示される。
【００３２】
サムネイル画像４１を表示した状態で決定スイッチ１１３ｇが押下操作された場合、電子カメラ１０は、当該サムネイル画像４１の表示サイズを大きく伸ばして液晶モニタ１１１の表示範囲いっぱいに表示させる（全画面表示）。全画面表示中にズームスイッチ１１３ｂが押下操作された場合、電子カメラ１０は全画面表示前のサムネイル画像表示（図３）に戻す。
【００３３】
ポインタ３１が大きなマーク（同位置で撮影された画像数が多い）上に所定時間重ねられた場合、電子カメラ１０は当該マークに対応する位置で撮影された複数のサムネイル画像を記録媒体１０Ａからそれぞれ読み出して液晶モニタ１１１に表示する。図４は、この場合の液晶モニタ１１１上の表示画像を例示する図である。図４において、マーク２６上にポインタ３１が重ねられ、マーク２６およびポインタ３１を隠さない位置に複数のサムネイル画像４２〜４４および撮影日時が地図画像上に重ねてリスト表示される。
【００３４】
複数のサムネイル画像４２〜４４を表示した状態で決定スイッチ１１３ｇが押下操作された場合、電子カメラ１０は、たとえばサムネイル画像４２を選択し、他のサムネイル画像と異なる態様で表示する。異なる態様表示は、たとえば、撮影日時表示部の色を選択画像と非選択画像とで異ならせたり、選択サムネイル画像をカラー表示して非選択サムネイル画像をモノクロ表示したりする。
【００３５】
電子カメラ１０は、ダイヤル１１３ｆからの押下位置信号に応じて、複数のサムネイル画像中の選択位置を上下方向へなめらかに移動させる。たとえば、ダイヤル１１３ｆの下側が押下される場合、選択位置を下方向へ移動させる。ダイヤル１１３ｆの下側が押下され続ける場合は選択位置をさらに下側へ移動させ、選択位置が表示画面の下側（図４においてサムネイル画像４４）へ到達した状態でダイヤル１１３ｆの下側がさらに押下される場合、表示するサムネイル画像を上方向へスクロールさせる。これにより、表示されていなかったサムネイル画像が新たに液晶モニタ１１１に表示され、このサムネイル画像が選択される。
【００３６】
いずれかのサムネイル画像を選択している状態で決定スイッチ１１３ｇが押下操作された場合、電子カメラ１０は、当該サムネイル画像の表示サイズを大きく伸ばして液晶モニタ１１１の表示範囲いっぱいに表示させる（全画面表示）。全画面表示中にズームスイッチ１１３ｂが押下操作された場合、電子カメラ１０は全画面表示前のサムネイル画像表示に戻す。この場合、選択位置は維持される。
【００３７】
さらにズームスイッチ１１３ｂが押下操作された場合、電子カメラ１０はリスト表示しているサムネイル画像のいずれも非選択とし、図４のサムネイル画像表示に戻す。これによりダイヤル１１３ｆからの押下位置信号は、ポインタ３１の移動指示として扱われる。
【００３８】
＜再生モード処理＞
図５は、電子カメラ１０のメインＣＰＵ１０８が行う再生モード処理の流れを説明するフローチャートである。図５によるプログラムはメインＣＰＵ１０８内のメモリ（不図示）に格納されており、再生モードへの変更操作が電子カメラ１０に行われると起動する。再生モードへの変更操作は、たとえば操作部材１１３を構成するモード切替スイッチ１１３ｅによって行われる。
【００３９】
図５のステップＳ１１において、メインＣＰＵ１０８は地図情報を表示するか否かを判定する。メインＣＰＵ１０８は、メニュー設定によって地図情報表示が指示されている場合にステップＳ１１を肯定判定してステップＳ１２へ進み、メニュー設定によって地図情報表示が指示されていない場合にはステップＳ１１を否定判定してステップＳ２２へ進む。
【００４０】
ステップＳ１２において、メインＣＰＵ１０８は地図データがあるか否かを判定する。メインＣＰＵ１０８は、表示するエリアの地図データが記録媒体１０Ａに格納されている場合にステップＳ１２を肯定判定してステップＳ１４へ進む。この場合は地図画像表示に必要な地図情報を記録媒体１０Ａから読み出す。一方、メインＣＰＵ１０８は、表示するエリアの地図データが記録媒体１０Ａに存在しない場合にはステップＳ１２を否定判定し、ステップＳ１３へ進む。なお、地図を表示するエリアはメニュー設定によって指示されている。
【００４１】
ステップＳ１３において、メインＣＰＵ１０８は無線インターフェイス１１６または外部インターフェイス１１２へ指示を送り、地図画像表示に必要な地図情報を外部機器から受信させてステップＳ１４へ進む。
【００４２】
ステップＳ１４において、メインＣＰＵ１０８は表示画像作成回路１１０へ指示を送り、地図情報に基づいて所定範囲の地図画像を液晶モニタ１１１に表示させてステップＳ１５へ進む。ステップＳ１５において、メインＣＰＵ１０８は、液晶モニタ１１１上の表示範囲に対応する画像ファイルが記録媒体１０Ａに記録されているか否かを判定する。メインＣＰＵ１０８は、表示範囲内で撮影された画像が電子カメラ１０内に存在する場合にステップＳ１５を肯定判定してステップＳ１６へ進み、表示範囲内で撮影された画像が電子カメラ１０内に存在しない場合にはステップＳ１５を否定判定してステップＳ２０へ進む。
【００４３】
ステップＳ１６において、メインＣＰＵ１０８は、表示範囲内で撮影された画像ファイルの付加情報を記録媒体１０Ａから読み出してステップＳ１７へ進む。ステップ１７において、メインＣＰＵ１０８は、図２に例示したように地図画像上の対応位置にマークを表示させてステップＳ１８へ進む。メインＣＰＵ１０８は、ポインタおよびコマ数表示もそれぞれ表示させる。
【００４４】
ステップＳ１８において、メインＣＰＵ１０８は、マークにポインタが重ねられた場合には当該マークに対応するサムネイル画像を記録媒体１０Ａから読み出し、読み出したサムネイル画像を地図画像上に表示させてステップＳ１９へ進む。
【００４５】
ステップＳ１９において、メインＣＰＵ１０８は、サムネイル画像表示中に決定（OK）スイッチ１１３ｇが押下操作された場合には、当該サムネイル画像の表示サイズを大きく伸ばし、伸ばした画像を液晶モニタ１１１に全画面表示させてステップＳ２０へ進む。
【００４６】
ステップＳ２０において、メインＣＰＵ１０８はタイムアウトか否かを判定する。メインＣＰＵ１０８は、操作部材１１３から操作信号が入力されない状態が所定時間継続されるとステップＳ２０を肯定判定して図５による処理を終了する。一方、メインＣＰＵ１０８は、操作信号が入力されている、もしくは操作信号が入力されない状態が所定時間に満たない場合にはステップＳ２０を否定判定し、ステップＳ２１へ進む。
【００４７】
ステップＳ２１において、メインＣＰＵ１０８は、撮影モードへモード変更操作されたか否かを判定する。メインＣＰＵ１０８は、モード切替スイッチ１１３ｅからモード変更を指示する操作信号が入力された場合にステップＳ２１を肯定判定して図５による処理を終了する。メインＣＰＵ１０８は、モード切替スイッチ１１３ｅからモード変更を指示する操作信号が入力されない場合にはステップＳ２１を否定判定し、ステップＳ１１へ戻る。
【００４８】
ステップＳ１１を否定判定して進むステップＳ２２において、メインＣＰＵ１０８は、地図画像を表示しない通常の再生表示処理を行ってステップＳ２０へ進む。通常の再生表示では、ダイヤル１１３ｆからの押下操作信号によって指示されたコマの画像を液晶モニタ１１１の表示範囲いっぱいに表示させる（全画面表示）。たとえば、ダイヤル１１３ｆの右操作信号をコマ送りに、ダイヤル１１３ｆの左操作信号をコマ戻しにそれぞれ対応させる。また、１コマの画像を表示する上記全画面表示と、複数コマ（たとえば４コマ）のサムネイル画像を並べて表示する複数コマ表示とを切り換えることも可能に構成される。
【００４９】
ステップＳ１５を否定判定して進むステップＳ２３において、メインＣＰＵ１０８は表示画像作成回路１１０へ指示を送り、地図画像に重ねて以下のメッセージをオーバレイ表示させる。メインＣＰＵ１０８は、たとえば、「この地図範囲で撮影された画像はありません。」のメッセージを液晶モニタ１１１に表示させてステップＳ２０へ進む。
【００５０】
＜撮影モード処理＞
撮影モード処理の詳細について、図６のフローチャートを参照して説明する。図６によるプログラムはメインＣＰＵ１０８内のメモリ（不図示）に格納されており、撮影モードへの変更操作が電子カメラ１０に行われると起動する。撮影モードへの変更操作はモード切替スイッチ１１３ｅによって行われる。
【００５１】
図６のステップＳ５１において、メインＣＰＵ１０８は、撮像部を構成するブロック（撮像素子１０１やドライバ１０４など）へ通電を開始させてステップＳ５２へ進む。ステップＳ５２において、メインＣＰＵ１０８は、初期設定および測位を行ってステップＳ５３へ進む。初期設定はデフォルトの撮影モード、表示、画像処理などのための設定である。測位は、GPS装置１１４による受信信号に基づいて測位情報を取得する。
【００５２】
ステップＳ５３において、メインＣＰＵ１０８はレリーズボタン１１３ａが半押し操作されたか否かを判定する。メインＣＰＵ１０８は、半押し操作信号が入力されるとステップＳ５３を肯定判定してステップＳ５４へ進み、半押し操作信号が入力されていない場合にはステップＳ５３を否定判定し、ステップＳ６６へ進む。
【００５３】
ステップＳ５４において、メインＣＰＵ１０８は不図示の焦点検出装置およびレンズ駆動装置１１７へ指示を送り、レンズＬによる焦点調節状態の検出および焦点調節を行わせてステップＳ５５へ進む。ステップＳ５５において、メインＣＰＵ１０８は撮像素子１０１による撮像を開始させる（電荷蓄積を開始させる）。メインＣＰＵ１０８は、所定時間が経過すると撮像を終了させ、撮像素子１０１から蓄積電荷を掃き出させる。
【００５４】
ステップＳ５６において、メインＣＰＵ１０８は、撮像素子１０１からの画像信号を用いて露光演算を行い、ステップＳ５７へ進む。ステップＳ５７において、メインＣＰＵ１０８はレリーズボタン１１３ａが全押し操作されたか否かを判定する。メインＣＰＵ１０８は、全押し操作信号が入力されるとステップＳ５７を肯定判定してステップＳ５８へ進み、全押し操作信号が入力されていない場合にはステップＳ５７を否定判定し、ステップＳ６６へ進む。
【００５５】
ステップＳ５８において、メインＣＰＵ１０８は撮像素子１０１を初期化（不要電荷を掃き出させる）してステップＳ５９へ進む。ステップＳ５９において、メインＣＰＵ１０８は撮像素子１０１による本撮像を開始させる（電荷蓄積を開始させる）。メインＣＰＵ１０８は、ステップＳ５６において得られている制御露出に基づいてシャッタ（不図示）および絞り（不図示）を駆動制御し、制御シャッタ秒時が経過すると撮像を終了させるとともに、撮像素子１０１から蓄積電荷を掃き出させる。
【００５６】
ステップＳ６０において、メインＣＰＵ１０８は画像処理回路１０６へ指示を送り、撮像素子１０１からの画像信号に対して所定の画像処理を行わせてステップＳ６１へ進む。ステップＳ６１において、メインＣＰＵ１０８は表示画像作成回路１１０へ指示を送り、画像処理後のディジタル画像信号を用いて表示データを作成させてステップＳ６２へ進む。これにより、撮影画像が液晶モニタ１１１に再生表示される。
【００５７】
ステップＳ６２において、メインＣＰＵ１０８は表示画像作成回路１１０へ指示を送り、再生表示中の撮影画像に重ねて、以下のメッセージをオーバレイ表示させる。メインＣＰＵ１０８は、たとえば、「マーク編集しますか？」のメッセージを液晶モニタ１１１に所定時間表示させてステップＳ６３へ進む。
【００５８】
ステップＳ６３において、メインＣＰＵ１０８はマーク編集を指示された場合にステップＳ６３を肯定判定してステップＳ６４へ進み、マーク編集を指示されない場合にはステップＳ６３を否定判定してステップＳ６５へ進む。メインＣＰＵ１０８は、たとえば、上記メッセージ表示中に決定（OK）スイッチ１１３ｇが押下操作された場合にマーク編集指示されたと判定し、決定（OK）スイッチ１１３ｇが押下操作されない場合にはマーク編集指示されないと判定する。
【００５９】
ステップＳ６４において、メインＣＰＵ１０８はマーク選択処理を行う。具体的には、表示画像作成回路１１０へ指示を送り、あらかじめ登録されている複数のマークを並べたマークリストを撮影画像に重ねて表示させる。メインＣＰＵ１０８は、ダイヤル１１３ｆからの押下位置信号に応じて、マークリスト中の選択位置を上下方向へなめらかに移動させる。たとえば、ダイヤル１１３ｆの下側が押下される場合、選択位置を下方向へ移動させ、ダイヤル１１３ｆの上側が押下される場合は選択位置を上方向へ移動させる。決定スイッチ１１３ｇが押下操作された場合、その時点で選択しているマークを選択決定してステップＳ６５へ進む。ステップＳ６５へ進む場合はマークリスト表示を終了させる。
【００６０】
ステップＳ６５において、メインＣＰＵ１０８は、バッファメモリ１０９内の画像ファイルを記録媒体１０Ａに記録してステップＳ６６へ進む。画像ファイルには、測位情報およびマーク情報を含む付加情報が画像データとともに格納されている。なお、ステップＳ６３が否定判定された場合のマークは、メインＣＰＵ１０８によって通常の丸印マークが自動的に決定される。
【００６１】
ステップＳ６６において、メインＣＰＵ１０８はタイムアウトか否かを判定する。メインＣＰＵ１０８は、半押し操作信号が入力されない状態が所定時間継続されるとステップＳ６６を肯定判定し、撮像部を構成するブロックへの通電オフ処理を行って図６による処理を終了する。一方、メインＣＰＵ１０８は、半押し操作信号が入力されている、もしくは半押し操作信号が入力されない状態が所定時間に満たない場合にはステップＳ６６を否定判定し、ステップＳ６７へ進む。
【００６２】
ステップＳ６７において、メインＣＰＵ１０８は、モード変更操作されたか否かを判定する。メインＣＰＵ１０８は、モード切替スイッチ１１３ｅからモード変更を指示する操作信号が入力された場合にステップＳ６７を肯定判定して図６による処理を終了する。メインＣＰＵ１０８は、モード切替スイッチ１１３ｅからモード変更を指示する操作信号が入力されない場合にはステップＳ６７を否定判定し、ステップＳ５３へ戻る。
【００６３】
以上説明した実施形態によれば、次の作用効果が得られる。
（１）電子カメラ１０は、液晶モニタ１１１に表示する地図画像に重ねてマーク２１〜マーク２６をそれぞれ表示することにより、マーク２１〜マーク２６の表示位置に対応する撮影地点で撮影した画像、すなわち、撮影地点の測位情報を関連づけて保存した撮影画像のファイルが記録媒体１０Ａ内に記録されていることを示す。これにより、ユーザは、複数の撮影画像がある場合にも複数の撮影位置を共通の地図上で確認できる。
【００６４】
（２）電子カメラ１０は、液晶モニタ１１１に表示する地図画像に重ねてコマ数表示３２をさらに表示するので、ユーザは、マークの数をカウントしなくても表示している地図範囲で撮影した撮影画像数を確認できる。
【００６５】
（３）電子カメラ１０は、液晶モニタ１１１に表示する地図画像に重ねて移動自在のポインタ３１をさらに表示し、ポインタ３１がマーク２１〜マーク２６のいずれかに重なる場合、対応するサムネイル画像を表示するようにした。これにより、ユーザは、地図表示させながら簡単に撮影画像を確認できる。
【００６６】
（４）電子カメラ１０は、サムネイル画像を表示中に決定（OK）スイッチ１１３ｇが押下操作されると当該サムネイル画像を液晶モニタ１１１に全画面表示するようにしたので、ユーザは簡単にサムネイル画像の詳細を確認できる。
【００６７】
（５）電子カメラ１０は、通常の丸印マークの他にレストランマーク２１やハートマーク２２など、形状や色が異なる複数種類の中から撮影位置ごとに選択され、撮影画像に関連づけられているマークを表示する。これにより、ユーザは、地図画像上に表示されるマークの種類から、その撮影地点で撮影した画像を区別することができる。
【００６８】
（６）電子カメラ１０は、マークに対応する位置で撮影された画像数に応じてマークの大きさを変えるように表示制御するたので、ユーザは、地図画像上に表示されるマークの大きさから、その撮影地点で撮影した画像数の大小がわかる。
【００６９】
（７）ポインタ３１がマーク２１〜２６間を直接移動するように構成したので、ユーザは、地図表示させた状態で、素早く各マークに対応するサムネイル画像を確認できる。
【００７０】
（変形例１）
上述した説明では、近接するマークが重なる状況ではマークを大きく表示するようにした。重なるマークの種類が異なる場合には、一方のマークのみを表示させるようにしてもよい。この場合、あらかじめマーク間に優先順位を定めておき、両方のマークをそれぞれ単独で表示できない場合に、優先順位が高いマークを表示させる。
【００７１】
（変形例２）
液晶モニタ１１１上の表示範囲に対応する画像ファイルが記録媒体１０Ａに記録されていれば、記録されている画像の全てに対応するマークを地図上に表示させるようにした。この代わりに、あらかじめ表示することが許可されているマークのみを選択的に表示させるようにしてもよい。たとえば、レストランマークを表示させるなどの表示許可は、メニュー設定によってマークごとに設定可能に構成される。変形例２の構成とすることにより、ユーザが表示を希望するマークのみを表示させることができる。
【００７２】
（変形例３）
また、あらかじめ表示することが禁止されているマークのみを選択的に表示させないようにしてもよい。たとえば、ハートマークを表示させないなどの表示禁止は、メニュー設定によってマークごとに設定可能に構成される。変形例３の構成とすることにより、ユーザが表示を希望しないマークのみを表示させないようにできる。
【００７３】
（変形例４）
変形例２または変形例３の表示許可、表示禁止は、それぞれ定められた期間のみ表示許可または表示禁止をするようにしてもよい。たとえば、１ヶ月の表示許可が設定されたマークは、１ヶ月が経過するまで表示を行い、１ヶ月が経過後は表示しないように表示制御される。マークごとの期間の設定は、上記表示許可、表示禁止とともにメニュー設定によって行われる。
【００７４】
（変形例５）
マークの種類と別にお気に入り情報を登録するようにしてもよい。この場合のマーク情報には、マーク選択処理で選択されたマークを示す情報に加えて、お気に入り登録の有無を示すフラグが格納される。お気に入り登録はメニュー設定によって画像ファイルごとに設定可能にされる。メインＣＰＵ１０８は、お気に入り登録されているマークのみを選択的に表示させるようにメニュー設定された場合、マークの種類にかかわらず、お気に入り登録されているマークのみを選択的に地図上に表示させる。変形例５の構成とすることにより、ユーザが望むものだけを表示させることができる。
【００７５】
（変形例６）
ステップＳ６３（図６）が否定判定された場合にメインＣＰＵ１０８が自動的に決定する丸印マークは、マークの色を日にちごとに異ならせてもよい。これにより、マーク選択処理が行われない場合でも撮影日が異なる場合は異なる態様でマーク表示されるようになり、ユーザにとってわかりやすく表示できる。
【００７６】
（変形例７）
モード切替スイッチ１１３ｅからの操作信号によって撮影モードおよび再生モード間の切り換えを行う例を説明したが、再生モード中にレリーズボタン１１３ａが半押し操作された場合に撮影モードを起動させてもよい。この場合のメインＣＰＵ１０８は、レリーズボタン１１３ａによる半押し操作信号が入力されると再生モードを終了して撮影モードを起動させる。撮影モード処理を終了後は、再生モードを起動させる。変形例７の構成とすることにより、地図画像を表示中にも素早く撮影準備を行うことが可能になる。
【００７７】
（変形例８）
ステップＳ１９（図５）において全画面表示を行っている場合、ダイヤル１１３ｆからの押下位置信号に応じて全画面表示中の画像のコマ送りまたはコマ戻しを行う構成にしてもよい。たとえば、ダイヤル１１３ｆの右操作信号をコマ送りに、左操作信号をコマ戻しに対応させる。メインＣＰＵ１０８はさらに、全画面表示中にズームスイッチ１１３ｂが押下操作された場合、この時点で全画面表示している画像を撮影した地点を表示する地図画像表示をさせる。
【００７８】
具体的には、メインＣＰＵ１０８が全画面表示している画像ファイルの付加情報を読み込み、当該画像が撮影された位置を示す測位情報およびマーク情報を取得する。メインＣＰＵ１０８は、表示画像作成回路１１０へ指示を送り、測位情報で示される位置（撮影位置）を含む所定範囲の地図画像を液晶モニタ１１１に表示させた上で、撮影位置を示すマーク表示を行わせる。変形例８の構成とすることにより、全画面表示するコマを選択してから、当該画像の撮影位置を含む図２の地図画像表示を行わせることができる。なお、他の撮影位置を示すマーク、ポインタおよびコマ数表示をそれぞれ表示させる点は、図２の場合と同様である。
【００７９】
（変形例９）
電子カメラ１０は、地図画像上でポインタ３１がマーク２１〜マーク２６のいずれかに重なる場合に対応するサムネイル画像を表示し、さらにサムネイル画像を表示中に決定（OK）スイッチ１１３ｇが押下操作されると当該サムネイル画像を液晶モニタ１１１に全画面表示するようにした。この代わりに、ポインタ３１がマーク２１〜マーク２６のいずれかに重なる時点で対応するサムネイル画像を全画面表示してもよい。ユーザは、簡単にサムネイル画像の詳細を確認できる。
【００８０】
（変形例１０）
姿勢センサ１１５による検出情報に応じて液晶モニタ１１１に表示させる地図画像の向きを変えてもよい。メインＣＰＵ１０８は表示画像作成回路１１０へ指示を送り、電子カメラ１０の姿勢（横位置または縦位置）に応じて液晶モニタ１１１に表示させる地図画像の向きを変える。変形例９の構成とすることにより、電子カメラ１０の向きにかかわらず、地図画像をユーザの見やすい向きで表示できる。
【００８１】
（変形例１１）
電子機器として電子カメラ１０を例に説明したが、カメラ付き携帯電話機、カメラ付きPDAであってもよい。
【００８２】
以上の説明はあくまで一例であり、上記の実施形態の構成に何ら限定されるものではない。説明に用いた実施形態および変形例１〜変形例１１は、それぞれを適宜組合わせて構成しても構わない。
【図面の簡単な説明】
【００８３】
【図１】図１は、本発明の一実施形態による電子カメラの要部構成を説明するブロック図である。
【図２】電子カメラを背面側から見た図である。
【図３】液晶モニタ上の表示画像を例示する図である。
【図４】液晶モニタ上の表示画像を例示する図である。
【図５】メインＣＰＵが行う再生モード処理の流れを説明するフローチャートである。
【図６】メインＣＰＵが行う撮影モード処理の流れを説明するフローチャートである。
【符号の説明】
【００８４】
１０…電子カメラ
２１〜２６…マーク
３１…ポインタ
３２…コマ数表示
４１〜４４…サムネイル画像
１０Ａ…記録媒体
１０１…撮像素子
１０８…メインＣＰＵ
１０９…バッファメモリ
１１０…表示画像作成回路
１１１…液晶モニタ
１１３…操作部材
１１４…GPS装置
１１６…無線インターフェイス
【図１】
2008092441.tif 000003
【図２】
2008092441.tif 000004
【図３】
2008092441.tif 000005
【図４】
2008092441.tif 000006
【図５】
2008092441.tif 000007
【図６】
2008092441.tif 000008